(57)【特許請求の範囲】
【請求項１】
上下方向に延びる開放溝を挟む開放端部を有する横断面略Ｃ字状の装具本体と、該装具本体の内側に沿うように配置された規制部材と、前記開放端部の先端で折り返すように前記装具本体の内側から外側に向かって延びる帯状部材とを具備し、
前記帯状部材において前記装具本体の内側に位置する内側部位は、前記装具本体に対して前記規制部材を介してまたは介さずに固定され、
前記帯状部材において前記装具本体の外側に位置する外側部位は、前記装具本体の外側に設けられた被係止部に係止し、前記被係止部に対する前記外側部位の係止位置を前記帯状部材の長手方向に変更可能としてあり、
前記係止位置の変更に伴って前記内側部位の緊張状態が変わり、前記装具本体または前記内側部位に固定された前記規制部材は、緊張した前記内側部位によって前記装具本体から離間するように付勢されることを特徴とする体幹装具。
【請求項２】
前記規制部材にクッション部材が取り付けられる請求項１に記載の体幹装具。
【請求項３】
前記規制部材が弾性を有する部材である請求項１または２に記載の体幹装具。
【請求項４】
前記装具本体は前側が開放されており、該装具本体の背面における左右方向中央部に突起が設けられている請求項１〜３の何れか一項に記載の体幹装具。
【請求項５】
側彎矯正装具である請求項１〜４の何れか一項に記載の体幹装具。
【発明の詳細な説明】
【技術分野】
【０００１】
この発明は、例えば側彎矯正装具等の体幹装具に関する。
【背景技術】
【０００２】
体幹装具として、合成樹脂で形成された装具本体と、この装具本体の内側に固定されたパッド付きの規制部材とを具備するタイプのものがあり、例えばこのタイプの側彎矯正装具では、側彎の矯正を行えるように複数の規制部材（矯正片）が装具本体内に配置されている（特許文献１参照）。
【先行技術文献】
【特許文献】
【０００３】
【特許文献１】特開２００５−１３７４４８号公報
【発明の概要】
【発明が解決しようとする課題】
【０００４】
しかし、従来の側彎矯正装具（体幹装具）では、各規制部材が体幹に加える押圧（矯正）力の調整を十分に行えない場合があり、この点で改良の余地がある。
【０００５】
本発明は上述の事柄に留意してなされたもので、その目的は、体幹に加える押圧（矯正）力の調整を簡便かつ確実に行うことができる体幹装具を提供することにある。
【課題を解決するための手段】
【０００６】
上記目的を達成するために、本発明に係る体幹装具は、上下方向に延びる開放溝を挟む開放端部を有する横断面略Ｃ字状の装具本体と、該装具本体の内側に沿うように配置された規制部材と、前記開放端部の先端で折り返すように前記装具本体の内側から外側に向かって延びる帯状部材とを具備し、前記帯状部材において前記装具本体の内側に位置する内側部位は、前記装具本体に対して前記規制部材を介してまたは介さずに固定され、前記帯状部材において前記装具本体の外側に位置する外側部位は、前記装具本体の外側に設けられた被係止部に係止し、前記被係止部に対する前記外側部位の係止位置を前記帯状部材の長手方向に変更可能としてあり、前記係止位置の変更に伴って前記内側部位の緊張状態が変わり、前記装具本体または前記内側部位に固定された前記規制部材は、緊張した前記内側部位によって前記装具本体から離間するように付勢されることを特徴としている（請求項１）。
【０００７】
上記体幹装具が、前記規制部材にクッション部材が取り付けられるものであってもよい（請求項２）。
【０００８】
上記体幹装具において、前記規制部材が弾性を有する部材であってもよい（請求項３）。
【０００９】
上記体幹装具において、前記装具本体は前側が開放されており、該装具本体の背面における左右方向中央部に突起が設けられていてもよい（請求項４）。
【００１０】
上記体幹装具が、側彎矯正装具であってもよい（請求項５）。
【発明の効果】
【００１１】
本願発明では、体幹に加える押圧（矯正）力の調整を簡便かつ確実に行うことができる体幹装具が得られる。
【００１２】
すなわち、本願の各請求項に係る発明の体幹装具では、装具本体の外側に設けられた被係止部に対する帯状部材の外側部位の係止位置を変更することにより、帯状部材の内側部位の緊張状態が変わる。そして、内側部位の緊張の増大に伴って、規制部材は装具本体から離間するように大きく付勢されることになる。従って、本発明の体幹装具では、装具本体の外側に設けられた被係止部に対する帯状部材の外側部位の係止位置を変更するという極めて簡便な操作により、装着者に対する規制部材の押圧（矯正）力を確実に調整することができる。
【００１３】
請求項２に係る発明の体幹装具では、クッション部材によって装着性が向上する。
【００１４】
請求項３に係る発明の体幹装具では、弾性を有する規制部材によって装着性が向上する。
【００１５】
請求項４に係る発明の体幹装具では、この体幹装具を装着した状態での寝返りを突起によって容易とすることができ、夜間装具として好適に使用可能なものとなる。
【図面の簡単な説明】
【００１６】
【図１】本発明の一実施の形態に係る体幹装具の開放状態の構成を概略的に示す斜視図である。
【図２】前記体幹装具の装着状態の構成を概略的に示す斜視図である。
【図３】前記体幹装具の構成を概略的に示す背面側からの斜視図である。
【図４】（Ａ）及び（Ｂ）は、体幹に対する押圧力が小さくなる状態及び大きくなる状態の前記体幹装具の要部の構成を概略的に示す説明図である。
【発明を実施するための形態】
【００１７】
本発明の実施の形態について図面を参照しながら以下に説明する。
【００１８】
本実施の形態に係る体幹装具は、アンダーアーム型で前開き（フロントオープン）タイプの側彎矯正装具であり、胸椎及び腰椎矯正用として構成されたものである。すなわち、この体幹装具を体幹に外嵌状に装着すると、図１、図２に示すように、装具本体１の内側に設けられた三つのパッド（クッション部材の一例）２，３，４による三点支持の原理により、胸椎カーブの矯正機能が発揮され、また、上記三つのパッド２，３，４のうちの下側の二つのパッド３，４と体幹装具１の下部に設けられた骨盤支持部５とによる三点支持の原理により、腰椎カーブの矯正機能が発揮される。
【００１９】
ここで、装具本体１は、例えば熱可塑性樹脂によって成形され、上下方向に延びる開放溝６を挟む開放端部７，８を有する横断面略Ｃ字状をしている（図１、図２参照）。また、装具本体１の上部は例えば装具本体１と同一の素材からなる補強板９を外面側に重ねた二重構造になっている（図１〜図３参照）。
【００２０】
さらに、図１、図２に示すように、装具本体１の上下には、開放溝６を跨ぐ装着用ベルト１０，１１が設けられている。装着用ベルト１０，１１はそれぞれ面ファスナー付きベルトであり、開放端部７，８の何れか一方（本例では開放端部７）に基端部が固定され、開放端部７，８の他方（本例では開放端部８）に止着されたリング１２内を経て折り返された部分を利用して締付度合を調整しつつ緊締可能となっている。すなわち、装着用ベルト１０，１１は、基端部から開放溝６を跨ぐ部分にかけて第１面ファスナー部１３を有し、第１面ファスナー部１３よりも先端側に第２面ファスナー部１４を有し、第１面ファスナー部１３と第２面ファスナー部１４の何れか一方は雄面ファスナーであり他方は雌面ファスナーであって、両者１３，１４は互いに係合可能である。
【００２１】
その他、図１〜図３に示すように、装具本体１の前側には突出した肋骨弓の矯正用のパッド１５が内側に向けて設けられ、後ろ側には複数の通気用の貫通孔１６が設けられている。また、本実施形態の体幹装具は夜間装具（変形の予防や矯正のために夜間就寝時またはベッドでの安静時に使用する装具）として使用可能であり、装具本体１の背面における左右方向中央部には、横断面略山状あるいは半円状の寝返り補助用の突起１７（図３参照）が上下方向に延びる状態で設けられている。
【００２２】
パッド２は、装具本体１内において装着者の脇下に当接する位置に例えば図外の面ファスナーによって着脱自在に取り付けられ、取付け位置の微調整が可能となっている。
【００２３】
パッド３は、装具本体１内において装着者の胸椎を囲みパッド２よりも下方にまで延びるように配置され、パッド４は、装具本体１内において装着者の胸椎及び腰椎を囲みパッド３よりも下方にまで延びるように配置されている。そして、本実施形態の体幹装具は、パッド３、４が装着者の体幹に加える押圧（矯正）力を簡便かつ確実に調整することができるように構成されている。
【００２４】
ここで、パッド３の調整機構に関して説明すると、図４（Ａ）に示すように、体幹装具１内には、装具本体１の内側に沿うように配置された規制部材１８と、開放端部７の先端で折り返すように装具本体１の内側から外側に向かって延びる帯状部材１９とが設けられている。そして、規制部材１８の内側面に例えば図外の面ファスナーによってパッド３が着脱自在に取り付けられ、取付け位置の微調整が可能となっている。
【００２５】
規制部材１８は、例えば熱可塑性樹脂からなる弾性を有する横断面略円弧状の部材であって、一端部が例えばリベット止め（図示していない）により装具本体１に固定され、自然状態では装具本体１に固定された部分以外は装具本体１からその内側に離間した姿勢をとる。
【００２６】
帯状部材１９において装具本体１の内側に位置する内側部位２０は、規制部材１８に例えばリベット止め（図示していない）により固定され、装具本体１には直接固定されず、規制部材１８を介して間接的に固定されている。
【００２７】
また、帯状部材１９において装具本体１の外側に位置する外側部位２１は、装具本体１（補強板９）の外側に設けられた被係止部２２に係止し、被係止部２２に対する外側部位２１の係止位置を帯状部材１９の長手方向に変更可能としてある。本例では、外側部位２１と被係止部２２との係止構造を、雌雄の面ファスナーによって構成してある。
【００２８】
そして、被係止部２２に対する外側部位２１の係止位置の変更に伴って内側部位２０の緊張状態が変わり、装具本体１に固定された規制部材１８は、緊張した内側部位２０によって装具本体１から離間するように付勢される。すなわち、被係止部２２に対する外側部位２１の係止位置を、図４（Ａ）に示す位置から図４（Ｂ）に示す位置に変更すると、内側部位２０はより緊張した（より大きなテンションがかかった）状態となり、この緊張の増大に伴って、規制部材１８ひいてはパッド３は、装具本体１から装具本体１の内側に向けて大きく付勢されることになる。従って、本実施形態の体幹装具では、被係止部２２に対する外側部位２１の係止位置を変更することにより、装着者に対するパッド３の押圧（矯正）力を簡便かつ確実に調整することができる。
【００２９】
パッド４の調整機構もパッド３の調整機構と同様であり、本例では、パッド３の調整機構を構成する規制部材１８を熱可塑性樹脂で成形してあるのに対し、パッド４の調整機構を構成する規制部材１８をより硬い熱可塑性樹脂で成形してある。
【００３０】
なお、本発明は、上記の実施の形態に何ら限定されず、本発明の要旨を逸脱しない範囲において種々に変形して実施し得ることは勿論である。例えば、以下のように変形することができる。
【００３１】
パッド２，３，４を省いてもよく、この場合は例えばギプスとして本実施形態の体幹装具を用いることも可能となる。
【００３２】
パッド２にも、パッド３やパッド４の調整機構と同様の調整機構を設けるようにしてもよい。また、骨盤支持部５に、パッド３，４と同様のパッドとその調整機構とを設けるようにしてもよい。また、本発明の体幹装具を例えばシングルカーブ用として構成する場合には、パッド３，４の何れか一方の調整機構を省き、パッド２と同様の構成となるようにしてもよい。
【００３３】
開放溝６が装具本体１の前側ではなく、例えば後ろ側に設けられていてもよい。
【００３４】
上記実施の形態では、装着用ベルト１０，１１の長さ調整や帯状部材１９の長さ調整のために面ファスナーを用いているが、これに限らず、例えばスライドアジャスタや、穴あきベルトと任意の穴に係止可能なバックルとの組合せ構造等を用いてもよい。
【００３５】
上記実施の形態では、帯状部材１９の内側部位２０は、装具本体１に対して規制部材１８を介して固定されているが、内側部位２０が装具本体１に対して規制部材１８を介さずに固定されていてもよく、この場合、規制部材１８が装具本体１に固定されず内側部位２０のみに固定されるようにしてもよい。
【００３６】
上記実施の形態の側彎矯正装具は夜間装具として用いるのに適したものである。しかし、これに限らず、例えば日中に用いられる側彎矯正装具であってもよいし、勿論、症例に応じて構成を左右逆等にしてもよく、側彎矯正装具以外の体幹装具として構成することもできる。すなわち、装具本体が採型等に基づいて装着対象部位に応じた形状を有するようにし、かつ、押圧部位（矯正部位）に応じてパッド類（クッション部材）やその調整機構（規制部材１８等）を配置するようにすればよい。
【００３７】
なお、上記変形例どうしを適宜組み合わせてもよいことはいうまでもない。
【符号の説明】
【００３８】
１    装具本体
２    パッド
３    パッド
４    パッド
５    骨盤支持部
６    開放溝
７    開放端部
８    開放端部
９    補強板
１０    装着用ベルト
１１    装着用ベルト
１２    リング
１３    第１面ファスナー部
１４    第２面ファスナー部
１５    パッド
１６    貫通孔
１７    突起
１８    規制部材
１９    帯状部材
２０    内側部位
２１    外側部位
２２    被係止部
【図１】
0005571150.tif 000002
【図２】
0005571150.tif 000003
【図３】
0005571150.tif 000004
【図４】
0005571150.tif 000005